(57)【要約】【課題】  ＬＥＤ照明ユニットを適切に着脱させることが可能な手摺を提供すること。【解決手段】  ｘ方向に延びる芯材２と、芯材２を支持するブラケット３と、芯材２に保持されたｘ方向に延びるＬＥＤ照明ユニットＢ１と、を備える手摺Ａ１であって、ＬＥＤ照明ユニットＢ１は、磁力により芯材２に着脱可能に保持されている。【選択図】  図７
2019090160.tif 000002
【特許請求の範囲】
【請求項１】
第１方向に延びる芯材と、
前記芯材を支持するブラケットと、
前記芯材に保持された前記第１方向に延びるＬＥＤ照明ユニットと、を備える手摺であって、
前記ＬＥＤ照明ユニットは、磁力により前記芯材に着脱可能に保持されていることを特徴とする、手摺。
【請求項２】
前記芯材は、磁性体からなり、前記第１方向を長手方向とし且つ前記第１方向と直角である第２方向を短手方向とする天板部と、前記天板部に対して前記第１方向および前記第２方向と直角である第３方向に離間して設けられた開口部と、を有し、
前記ＬＥＤ照明ユニットは、前記芯材の前記天板部と相互に引き合う磁石を有する、請求項１に記載の手摺。
【請求項３】
前記ＬＥＤ照明ユニットは、前記第１方向に互いに離間して配置された複数の前記磁石を有する、請求項２に記載の手摺。
【請求項４】
前記ＬＥＤ照明ユニットは、
複数のＬＥＤモジュールと、
前記複数のＬＥＤモジュールが搭載され前記第３方向一方側を向く主面および前記第３方向他方側を向く裏面を有するＬＥＤ基板と、
前記ＬＥＤ基板および前記磁石を支持する支持部材と、を有し、
前記磁石は、前記ＬＥＤ基板に対して前記第３方向他方側に配置されている、請求項２または３に記載の手摺。
【請求項５】
前記支持部材は、金属からなり、前記第１方向を長手方向とし且つ前記第１方向と直角である第２方向を短手方向とする中板部と、前記中板部から前記第３方向一方側に起立するリブと、を有しており、
前記磁石は、前記リブに対して前記第３方向一方側に配置されており、
前記ＬＥＤ基板は、前記中板部に対して前記第３方向他方側に配置されている、請求項４に記載の手摺。
【請求項６】
前記ＬＥＤ照明ユニットは、前記支持部材から前記第１方向両側に延出する一対の外部配線と、前記一対の外部配線に接続された一対のコネクタと、を有する、請求項４または５に記載の手摺。
【請求項７】
前記ＬＥＤ照明ユニットは、前記一対のコネクタ同士を導通させる一対のバイパス配線を有しており、
前記一対のバイパス配線は、前記ＬＥＤ基板に対して前記第３方向一方側に位置し、前記第３方向視において前記ＬＥＤ基板に重なり、且つ前記複数のＬＥＤモジュールを挟んで前記第２方向両側に離間して配置されている、請求項６に記載の手摺。
【請求項８】
前記ＬＥＤ照明ユニットは、前記コネクタと前記複数のＬＥＤモジュールとを導通させるローカル配線を有しており、
前記ローカル配線は、前記ＬＥＤ基板に対して前記第３方向一方側に位置し、前記複数のＬＥＤモジュールに対して前記第１方向外側に位置し、前記第２方向において前記一対のバイパス配線の間に位置する、請求項７に記載の手摺。
【発明の詳細な説明】
【技術分野】
【０００１】
本発明は、手摺に関する。
【背景技術】
【０００２】
住宅等の建築物において、使用者の歩行を補助する設備として、手摺が一般的に設けられている。特許文献１には、照明機能が付与された手摺が開示されている。この手摺は、細長状の芯材に光源としてのＬＥＤを有するＬＥＤ照明ユニットが収容されている。ＬＥＤが発した光が、芯材に設けられたスリットから出射されることにより、手摺の下方を照らすことが意図されている。
【先行技術文献】
【特許文献】
【０００３】
【特許文献１】特開２００５−３３６８９５号公報
【発明の概要】
【発明が解決しようとする課題】
【０００４】
しかしながら、上記の手摺においては、金属製の芯材と、ＬＥＤ照明ユニットの樹脂製の支持部材とを係合させることにより、ＬＥＤ照明ユニットが芯材に保持されている。芯材や支持部材が不可避的に有する製造上の誤差に起因して、芯材と支持部材とが適切に係合しないおそれがある。また、ＬＥＤ照明ユニットを交換する際などに、ＬＥＤ照明ユニットを芯材に対してスライドさせると、支持部材の係合部分が摩耗したり欠けたりすることが懸念される。
【０００５】
本発明は、上記した事情のもとで考え出されたものであって、ＬＥＤ照明ユニットを適切に着脱させることが可能な手摺を提供することをその課題とする。
【課題を解決するための手段】
【０００６】
本発明によって提供される手摺は、第１方向に延びる芯材と、前記芯材を支持するブラケットと、前記芯材に保持された前記第１方向に延びるＬＥＤ照明ユニットと、を備える手摺であって、前記ＬＥＤ照明ユニットは、磁力により前記芯材に着脱可能に保持されていることを特徴としている。
【０００７】
本発明の好ましい実施の形態においては、前記芯材は、磁性体からなり、前記第１方向を長手方向とし且つ前記第１方向と直角である第２方向を短手方向とする天板部と、前記天板部に対して前記第１方向および前記第２方向と直角である第３方向に離間して設けられた開口部と、を有し、前記ＬＥＤ照明ユニットは、前記芯材の前記天板部と相互に引き合う磁石を有する。
【０００８】
本発明の好ましい実施の形態においては、前記ＬＥＤ照明ユニットは、前記第１方向に互いに離間して配置された複数の前記磁石を有する。
【０００９】
本発明の好ましい実施の形態においては、前記ＬＥＤ照明ユニットは、複数のＬＥＤモジュールと、前記複数のＬＥＤモジュールが搭載され前記第３方向一方側を向く主面および前記第３方向他方側を向く裏面を有するＬＥＤ基板と、前記ＬＥＤ基板および前記磁石を支持する支持部材と、を有し、前記磁石は、前記ＬＥＤ基板に対して前記第３方向他方側に配置されている。
【００１０】
本発明の好ましい実施の形態においては、前記支持部材は、金属からなり、前記第１方向を長手方向とし且つ前記第１方向と直角である第２方向を短手方向とする中板部と、前記中板部から前記第３方向一方側に起立するリブと、を有しており、前記磁石は、前記リブに対して前記第３方向一方側に配置されており、前記ＬＥＤ基板は、前記中板部に対して前記第３方向他方側に配置されている。
【００１１】
本発明の好ましい実施の形態においては、前記ＬＥＤ照明ユニットは、前記支持部材から前記第１方向両側に延出する一対の外部配線と、前記一対の外部配線に接続された一対のコネクタと、を有する。
【００１２】
本発明の好ましい実施の形態においては、前記ＬＥＤ照明ユニットは、前記一対のコネクタ同士を導通させる一対のバイパス配線を有しており、前記一対のバイパス配線は、前記ＬＥＤ基板に対して前記第３方向一方側に位置し、前記第３方向視において前記ＬＥＤ基板に重なり、且つ前記複数のＬＥＤモジュールを挟んで前記第２方向両側に離間して配置されている。
【００１３】
本発明の好ましい実施の形態においては、前記ＬＥＤ照明ユニットは、前記コネクタと前記複数のＬＥＤモジュールとを導通させるローカル配線を有しており、前記ローカル配線は、前記ＬＥＤ基板に対して前記第３方向一方側に位置し、前記複数のＬＥＤモジュールに対して前記第１方向外側に位置し、前記第２方向において前記一対のバイパス配線の間に位置する。
【発明の効果】
【００１４】
本発明によれば、ＬＥＤ照明ユニットを適切に着脱させることができる。
【００１５】
本発明のその他の特徴および利点は、添付図面を参照して以下に行う詳細な説明によって、より明らかとなろう。
【図面の簡単な説明】
【００１６】
【図１】本発明の第１実施形態に係る手摺を示す斜視図である。
【図２】本発明の第１実施形態に係る手摺を示す要部斜視図である。
【図３】本発明の第１実施形態に係る手摺を示す要部斜視図である。
【図４】本発明の第１実施形態に係る手摺を示す要部拡大斜視図である。
【図５】本発明の第１実施形態に係る手摺を示す平面図である。
【図６】本発明の第１実施形態に係る手摺を示す底面図である。
【図７】図５のＶＩＩ−ＶＩＩ線に沿う断面図である。
【図８】図５のＶＩＩ−ＶＩＩ線に沿う要部拡大断面図である。
【図９】図５のＩＸ−ＩＸ線に沿う断面図である。
【図１０】本発明の第１実施形態に係る手摺のＬＥＤ照明ユニットを示す斜視図である。
【図１１】本発明の第１実施形態に係る手摺のＬＥＤ照明ユニットを示す斜視図である。
【図１２】本発明の第１実施形態に係る手摺のＬＥＤ照明ユニットを示す平面図である。
【図１３】本発明の第１実施形態に係る手摺のＬＥＤ照明ユニットを示す正面図である。
【図１４】本発明の第１実施形態に係る手摺のＬＥＤ照明ユニットを示す底面図である。
【図１５】本発明の第１実施形態に係る手摺のＬＥＤ照明ユニットを示す要部拡大底面図である。
【図１６】図１５のＸＶＩ−ＸＶＩ線に沿う断面図である。
【図１７】図１５のＸＶＩＩ−ＸＶＩＩ線に沿う断面図である。
【図１８】本発明の第１実施形態に係る手摺の第１変形例を示す要部拡大断面図である。
【図１９】本発明の第１実施形態に係る手摺の第２変形例を示す要部拡大断面図である。
【図２０】本発明の第１実施形態に係る手摺の第３変形例を示す要部拡大断面図である。
【図２１】本発明の第１実施形態に係る手摺の第４変形例を示す要部拡大断面図である。
【図２２】本発明の第２実施形態に係る手摺を示す斜視図である。
【図２３】本発明の第２実施形態に係る手摺を示す要部斜視図である。
【図２４】本発明の第２実施形態に係る手摺を示す要部拡大斜視図である。
【図２５】図２２のＸＸＶ−ＸＸＶ線に沿う要部拡大断面図である。
【図２６】本開示の第１実施形態に係る巾木を示す斜視図である。
【図２７】図２６のＸＸＶＩＩ−ＸＸＶＩＩ線に沿う断面図である。
【図２８】本開示の第２実施形態に係る巾木を示す断面図である。
【図２９】本開示の第３実施形態に係る巾木を示す断面図である。
【図３０】本開示の第４実施形態に係る巾木を示す断面図である。
【図３１】本開示の第５実施形態に係る巾木を示す断面図である。
【図３２】本開示の第６実施形態に係る巾木を示す断面図である。
【図３３】本開示の第７実施形態に係る巾木を示す要部斜視図である。
【図３４】図３３のＸＸＸＩＶ−ＸＸＸＩＶ線に沿う断面図である。
【図３５】本開示の第７実施形態に係る巾木を示す要部平面図である。
【図３６】本開示の第１実施形態に係る階段を示す要部斜視図である。
【図３７】図３６のＸＸＸＶＩＩ−ＸＸＸＶＩ線に沿う要部断面図である。
【図３８】図３７のＸＸＸＶＩＩＩ−ＸＸＸＶＩＩＩ線に沿う要部断面図である。
【図３９】本開示の第２実施形態に係る階段を示す要部断面図である。
【発明を実施するための形態】
【００１７】
以下、本発明の好ましい実施の形態につき、図面を参照して具体的に説明する。
【００１８】
＜第１実施形態  手摺＞
図１〜図１７は、本発明の第１実施形態に係る手摺を示している。本実施形態の手摺Ａ１は、カバー１、芯材２、複数のブラケット３およびＬＥＤ照明ユニットＢ１を備えている。手摺Ａ１は、たとえば住宅等の建築物の壁面等に取り付けられるものである。また、手摺Ａ１は、ＬＥＤ照明ユニットＢ１を備えることにより、照明機能が付与されている。
【００１９】
図１は、手摺Ａ１を示す斜視図である。図２は、手摺Ａ１を示す要部斜視図である。図３は、手摺Ａ１を示す要部斜視図である。図４は、手摺Ａ１を示す要部拡大斜視図である。図５は、手摺Ａ１を示す平面図である。図６は、手摺Ａ１を示す底面図である。図７は、図５のＶＩＩ−ＶＩＩ線に沿う断面図である。図８は、図５のＶＩＩ−ＶＩＩ線に沿う要部拡大断面図である。図９は、図５のＩＸ−ＩＸ線に沿う断面図である。図１０は、手摺Ａ１のＬＥＤ照明ユニットを示す斜視図である。図１１は、手摺Ａ１のＬＥＤ照明ユニットを示す斜視図である。図１２は、手摺Ａ１のＬＥＤ照明ユニットを示す平面図である。図１３は、手摺Ａ１のＬＥＤ照明ユニットを示す正面図である。図１４は、手摺Ａ１のＬＥＤ照明ユニットを示す底面図である。図１５は、手摺Ａ１のＬＥＤ照明ユニットを示す要部拡大底面図である。図１６は、図１５のＸＶＩ−ＸＶＩ線に沿う断面図である。図１７は、図１５のＸＶＩＩ−ＸＶＩＩ線に沿う断面図である。これらの図において、ｘ方向が本発明の第１方向に相当し、ｙ方向が本発明の第２方向に相当し、ｚ方向が本発明の第３方向に相当する。なお、図２においては、理解の便宜上、後述の筒状部１０を省略している。図３においては、カバー１および芯材２を省略している。図１１および図１４においては、透光カバー７を省略している。
【００２０】
カバー１は、手摺Ａ１の外観をなすものであり、使用者が把持する部分を構成している。本実施形態においては、カバー１は、筒状部１０および一対の端材部１９を有する。なお、本実施形態とは異なり、芯材２がカバー１を含んで一体的に形成された構成であってもよい。
【００２１】
筒状部１０は、カバー１の大部分をなしており、ｘ方向に長く延びる略筒状部材である。図示された例においては、筒状部１０は、略円筒状である。筒状部１０の材質は特に限定されず、たとえば金属や樹脂が用いられる。カバー１は、内部に芯材２を収容している。図７および図８に示すように、筒状部１０は、一対のリブ１１、一対のリブ１２、一対のリブ１３、一対の突起１４、一対の突起１５、連結部１６およびスリット１０１を有する。
【００２２】
スリット１０１は、ｚ方向図中下方に設けられており、ｘ方向に長く延びる細長い開口部である。スリット１０１は、ＬＥＤ照明ユニットＢ１からの光を出射させることや、ブラケット３を挿通させることを目的として設けられている。
【００２３】
一対のリブ１１は、スリット１０１のｙ方向両側に設けられており、筒状部１０の内面からｚ方向に突出している。リブ１１は、ｘ方向に長く延びており、たとえば筒状部１０の全長にわたって形成されている。
【００２４】
一対のリブ１２は、一対のリブ１１のｙ方向両側に設けられており、筒状部１０の内面からｚ方向に突出している。リブ１２は、ｘ方向に長く延びており、たとえば筒状部１０の全長にわたって形成されている。リブ１２のｚ方向寸法は、リブ１１のｚ方向寸法よりも大きい。
【００２５】
一対のリブ１３は、一対のリブ１２のｙ方向両側に設けられており、筒状部１０の内面のｚ方向略中央からｙ方向に突出している。リブ１３は、ｘ方向に長く延びており、たとえば筒状部１０の全長にわたって形成されている。
【００２６】
一対の突起１４は、一対のリブ１３のｚ方向図中上方に設けられており、筒状部１０の内面からｙ方向に突出している。突起１４は、断面略三角形状であり、ｙ方向を向く面を有する。突起１４は、ｘ方向に長く延びており、たとえば筒状部１０の全長にわたって形成されている。
【００２７】
一対の突起１５は、一対の突起１４のｚ方向図中上方に設けられており、筒状部１０の内面から突出している。突起１５は、断面略三角形状であり、ｚ方向を向く面を有する。突起１５は、ｘ方向に長く延びており、たとえば筒状部１０の全長にわたって形成されている。図示された例においては、突起１５には、中空部１８が形成されている。中空部１８は、突起１５内をｘ方向に貫通する孔であり、たとえば断面略三角形状である。
【００２８】
連結部１６は、一対の突起１５を連結しており、一対の突起１５よりもｚ方向図中上方に設けられている。連結部１６は、ｚ方向を向く面を有する。図示された例においては、連結部１６には、一対の中空部１７が形成されている。一対の中空部１７は、連結部１６内をｘ方向に貫通する孔であり、たとえば断面略台形状である。
【００２９】
芯材２は、手摺Ａ１の剛性を確保するために設けられており、本実施形態においては、ＬＥＤ照明ユニットＢ１を保持するとともに、複数のブラケット３によって支持されている。芯材２は、ｘ方向に長く延びており、ｘ方向と直角である断面形状が一定である。芯材２の材質は特に限定されず、本実施形態においては、磁性体が用いられている。磁性体の例としては、鉄等の磁性体金属が挙げられる。図７および図８に示すように、芯材２は、天板部２１、一対の段差部２３、一対の側板部２４、一対の側板部２５、一対の段差部２６および開口部２７を有する。
【００３０】
天板部２１は、ｘ方向を長手方向としｙ方向を短手方向とする板状部分である。天板部２１の厚さ方向がｚ方向である。図示された例においては、天板部２１には、複数のねじ孔２８が設けられている。複数のねじ孔２８は、ｘ方向に配列されており、各々が天板部２１をｚ方向に貫通している。ねじ孔２８は、芯材２に対してブラケット３を固定するためのねじ３９を相通させるためのものである。
【００３１】
一対の天板部２２は、天板部２１を挟んでｙ方向両側に配置されており、ｚ方向において天板部２１よりも図中上方に位置する。天板部２２は、ｘ方向を長手方向としｙ方向を短手方向とする板状部分である。天板部２１の厚さ方向は、ｚ方向に沿っている。図示された例においては、天板部２２の図中上面が、突起１５の図中下面と対向しており、これらは隙間を隔てて向かい合うか、あるいは互いに接している。
【００３２】
一対の段差部２３は、隣り合う天板部２１と天板部２２とをそれぞれが連結している。図示された例においては、段差部２３は、ｘ方向を長手方向とし、ｙ方向およびｚ方向に対して傾いた方向を短手方向とする板状部分である。
【００３３】
一対の側板部２４は、一対の天板部２２を挟んでｙ方向両側に配置されており、一対の天板部２２からｚ方向下方に向けて延びている。側板部２４は、ｘ方向を長手方向としｚ方向を短手方向とする板状部分である。側板部２４の厚さ方向は、ｙ方向に沿っている。図示された例においては、側板部２４のｙ方向外面が、突起１４およびリブ１３と対向しており、これらは隙間を隔てて向かい合うか、あるいは互いに接している。
【００３４】
一対の側板部２５は、一対の側板部２４に対してｚ方向図中下方に配置されている。一対の側板部２５同士のｙ方向距離は、一対の側板部２４同士のｙ方向距離よりも短い。側板部２５は、ｘ方向を長手方向としｚ方向を短手方向とする板状部分である。側板部２５の厚さ方向は、ｙ方向に沿っている。図示された例においては、側板部２５のｙ方向内面が、リブ１１と対向しており、これらは隙間を隔てて向かい合うか、あるいは互いに接している。
【００３５】
一対の段差部２６は、隣り合う側板部２４と側板部２５とをそれぞれが連結している。図示された例においては、段差部２６は、ｘ方向を長手方向とし、ｙ方向を短手方向とする板状部分である。
【００３６】
開口部２７は、一対の側板部２５の間に設けられており、ｘ方向に長く延びる細長い開口部である。開口部２７は、ＬＥＤ照明ユニットＢ１からの光を出射させることや、ブラケット３を挿通させることを目的として設けられている。
【００３７】
本実施形態においては、筒状部１０と芯材２とのｚ方向における位置決めが、一対の突起１５および一対の天板部２２によってなされている。また、筒状部１０と芯材２とのｙ方向における位置決めが、一対のリブ１３および一対の側板部２４と、一対のリブ１１および一対の側板部２５によってなされている。
【００３８】
複数のブラケット３は、壁面等に取付けられる部材であり、カバー１、芯材２およびＬＥＤ照明ユニットＢ１を支持している。図１〜図６に示すように、本実施形態においては、手摺Ａ１は、２つのブラケット３を備えているが、ブラケット３の個数は特に限定されない。図９によく表れているように、図示された例においては、ブラケット３は、取付部３１、湾曲部３２および支持部３３を有する。
【００３９】
取付部３１は、壁面等に取付けられる部分である。図示された例においては、取付部３１は、一対の取付孔３１１を有する。一対の取付孔３１１は、ｚ方向に離間して設けられており、取付部３１をｙ方向に貫通している。取付孔３１１は、ブラケット３を壁面等に取り付けるためのねじ等を挿通させるためのものである。
【００４０】
湾曲部３２は、取付部３１のｚ方向図中上端に繋がっており、ｘ方向視において円弧形状の部分である。
【００４１】
支持部３３は、芯材２を支持する部分であり、湾曲部３２のｚ方向上端に繋がっている。図示された例においては、支持部３３は、芯材２内に概ね収容されており、ねじ穴３３１および一対の延出部３３２を有する。ねじ穴３３１は、ｚ方向上面から下方に向かって凹む雌ねじ穴である。ねじ穴３３１には、芯材２をブラケット３に取り付けるためのねじ３９が螺合する。ねじ３９を締結することにより、支持部３３のｚ方向上面と芯材２の天板部２１のｚ方向下面とが当接する。
【００４２】
一対の延出部３３２は、ｙ方向両側に延出している。延出部３３２は、ｚ方向において芯材２の天板部２２と段差部２６との間に位置する。また、一対の延出部３３２は、ｙ方向において芯材２の一対の側板部２４の間に位置している。なお、延出部３３２と段差部２６とは、隙間を隔てているか、あるいは互いに当接している。一方、延出部３３２と天板部２２とのｚ方向距離は、延出部３３２と段差部２６との間に生じうる隙間よりも大きい。支持部３３のｚ方向下側部分は、ｙ方向において芯材２の一対の側板部２５の間に位置している。
【００４３】
ＬＥＤ照明ユニットＢ１は、手摺Ａ１に照明機能を付与するためのユニットであり、芯材２に対して着脱可能に保持される。ＬＥＤ照明ユニットＢ１は、磁力によって芯材２に保持されている。図１０〜図１７に示すように、本実施形態においては、ＬＥＤ照明ユニットＢ１は、支持部材４、ＬＥＤ基板５、複数のＬＥＤモジュール６、透光カバー７、磁石８、二対のローカル配線９１、一対のバイパス配線９２、二対の外部配線９３、コネクタ９４およびコネクタ９５を有する。
【００４４】
支持部材４は、ＬＥＤ基板５および磁石８を支持している。支持部材４の材質は特に限定されず、本実施形態においては、非磁性体金属であるアルミからなる。図示された例においては、支持部材４は、中板部４１、一対の側板部４２、複数のリブ４３および一対の係合部４４を有する。図示された例においては、支持部材４のｘ方向に直角である断面形状は、一定である。
【００４５】
中板部４１は、ｘ方向を長手方向としｙ方向を短手方向とする板状部分である。中板部４１のｚ方向下面には、ＬＥＤ基板５が取付けられる。
【００４６】
一対の側板部４２は、中板部４１のｙ方向両端に繋がっており、各々が中板部４１からｚ方向両側に延びている。図示された例においては、側板部４２のうち天板部２１に対してｚ方向上側の部分よりもｚ方向下側の部分の方がｙ方向寸法が大きい。側板部４２は、ｙ方向を向く外面を有する。
【００４７】
複数のリブ４３は、中板部４１のｚ方向上面からｚ方向上側に起立しており、ｘ方向に長く延びている。複数のリブ４３の個数は特に限定されず、図示された例においては、３つのリブ４３が設けられている。図示された例においては、一対の側板部４２と３つのリブ４３とが、ｙ方向において等ピッチで配置されている。リブ４３の中板部４１からのｚ方向寸法は、側板部４２の中板部４１からのｚ方向寸法よりも小さい。
【００４８】
一対の係合部４４は、磁石８と係合する部分であり、一対の側板部４２のｚ方向図中上端からｙ方向内側に延出している。図示された例においては、係合部４４は、ｚ方向視において複数のリブ４３とは重ならない位置および大きさとされている。
【００４９】
一対の側板部４２には、溝部４５および溝部４６が形成されている。溝部４５は、側板部４２のうち中板部４１と繋がる部分とｚ方向下方に隣接する位置に設けられており、ｙ方向に凹んでいる。図示された例においては、溝部４５は、断面円形状である。一対の溝部４５は、ＬＥＤ基板５のｙ方向両端部を収容する部位である。溝部４６は、側板部４２のｚ方向下方部分に設けられており、ｙ方向に凹んでいる。図示された例においては、溝部４６は、断面矩形状である。一対の溝部４６は、透光カバー７のｙ方向両端部（後述の一対のリブ７３）を収容する部位である。
【００５０】
図１０〜図１５に示すように、図示された例においては、支持部材４には、一対のエンドキャップ４９が装着されている。一対のエンドキャップ４９は、支持部材４のｘ方向両端に装着されており、支持部材４をｘ方向から塞いでいる。エンドキャップ４９は、たとえば後述の外部配線９３を挿通させるための貫通孔を有する。
【００５１】
ＬＥＤ基板５は、ｘ方向を長手方向とし、ｙ方向を短手方向とする板状部材であり、たとえばセラミックスやガラスエポキシ樹脂等の絶縁材料からなる主材と当該主材上に形成された配線パターン（図示略）とを有する。
【００５２】
図１６に示すように、ＬＥＤ基板５は、主面５１および裏面５２を有する。主面５１と裏面５２とは、ＬＥＤ基板５の厚さ方向であるｚ方向において互いに反対側を向いている。主面５１は、ｚ方向図中下方を向いており、複数のＬＥＤモジュール６が実装される。裏面５２は、ｚ方向図中上方を向いており、中板部４１のｚ方向図中下面と正対している。裏面５２は、たとえば接着剤や接着テープ等によって中板部４１の下面に接合されている。ＬＥＤ基板５のｙ方向両端部は、支持部材４の一対の溝部４５に収容されている。
【００５３】
複数のＬＥＤモジュール６は、ＬＥＤ照明ユニットＢ１の光源であり、図１４に示すように、ＬＥＤ基板５の主面５１にｘ方向に並んで実装されている。複数のＬＥＤモジュール６の配置は、１列、複数列、千鳥配列等、様々に設定される。図示された例においては、複数のＬＥＤモジュール６は、ｘ方向に沿って１列に配置されている。
【００５４】
ＬＥＤモジュール６は、ＬＥＤチップ（図示略）を含む。ＬＥＤモジュール６は、ＬＥＤチップ単体からなるものでも、ＬＥＤチップ以外の構成要素を含むものであってもよい。ＬＥＤモジュール６の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤモジュール６は、白色光を発する構成とすることができる。
【００５５】
透光カバー７は、支持部材４に取り付けられており、ＬＥＤ基板５およびＬＥＤモジュール６に対して中板部４１とはｚ方向において反対側に配置されている。透光カバー７は、ｘ方向を長手方向とする形状であり、ＬＥＤモジュール６からの光を透過させる材質からなる。また、透光カバー７は、ＬＥＤモジュール６からの光を透過させつつ拡散させる材質からなるものであっても良く、たとえば半透明の乳白色樹脂からなる。
【００５６】
図１６に示すように、図示された例においては、透光カバー７は、底板部７１、一対の側板部７２および一対のリブ７３を有する。底板部７１は、ｘ方向を長手方向とし、ｙ方向を短手方向とする板状部分であり、ＬＥＤモジュール６のｚ方向図中下方に位置している。一対の側板部７２は、底板部７１のｙ方向両端に繋がっており、ｘ方向を長手方向とし、ｚ方向を短手方向とする板状部分である。側板部７２のｚ方向図中上端は、ＬＥＤ基板５の主面５１に対して隙間を隔てて対向している。一対のリブ７３は、一対の側板部７２のｚ方向中央付近からｙ方向外方に延出している。一対のリブ７３は、支持部材４の一対の溝部４６に収容されている。
【００５７】
複数の磁石８は、ＬＥＤ照明ユニットＢ１を芯材２に対して着脱可能に取り付けるための磁力を発揮するのである。磁石８は、たとえばフェライト磁石、ネオジム磁石、アルニコ磁石等の永久磁石が好ましい。本実施形態においては、図３、図４、図１０および図１２に示すように、複数の磁石８がｘ方向に互いに離間して配置されている。図示された例においては、ＬＥＤ照明ユニットＢ１は、３つの磁石８を有している。１つの磁石８は、支持部材４のｘ方向中央付近に配置されており、他の２つの磁石８は、支持部材４のｘ方向両端付近に配置されている。
【００５８】
図１６に示すように、図示された例においては、磁石８は、本体部８１および一対の係合部８２を有する。本体部８１は、ｘ方向と直角である断面形状が矩形状であり、ｚ方向図中上方を向く面を有する。一対の係合部８２は、本体部８１のｚ方向図中下方部分からｙ方向両側外方に延出している。一対の係合部８２は、支持部材４の一対の係合部４４と係合することにより、磁石８が支持部材４に対してｚ方向図中上方に移動することを規制している。磁石８のｚ方向図中下端は、支持部材４の中板部４１からｚ方向に離間しており、さらに、複数のリブ４３のｚ方向図中上端からｚ方向に離間している。図８に示すように、本実施形態においては、磁石８と芯材２とが磁力によって互いに引き合うことにより、ＬＥＤ照明ユニットＢ１が芯材２に対して着脱可能に保持されている。より具体的には、磁石８の本体部８１のｚ方向図中上面と、芯材２の天板部２１のｚ方向図中下面とが接した状態で、芯材２と磁石８とが互いに引き合っている。
【００５９】
図１４および図１５に示すように、コネクタ９４およびコネクタ９５は、外部からの給電コネクタ（図示略）に接続されることにより、ＬＥＤ照明ユニットＢ１の複数のＬＥＤモジュール６を発光させるための電力を受けるものである。また、コネクタ９４およびコネクタ９５は、他のＬＥＤ照明ユニットＢ１のコネクタ９５またはコネクタ９４と接続されるものであってもよい。
【００６０】
図１４および図１５に示すように、二対の外部配線９３は、一対の外部配線９３がコネクタ９４に接続され、一対の外部配線９３がコネクタ９５に接続されている。図示された例においては、二対の外部配線９３は、一対のエンドキャップ４９を通じて支持部材４内に導かれている。
【００６１】
図１４および図１５に示すように、二対のローカル配線９１および一対のバイパス配線９２は、二対の外部配線９３にそれぞれ導通している。二対のローカル配線９１は、一対のローカル配線９１がＬＥＤ基板５のｘ方向一端寄りに配置されており、他の一対のローカル配線９１がＬＥＤ基板５のｘ方向他端寄りに配置されている。二対のローカル配線９１は、ＬＥＤ基板５の上述の配線パターンに導通しており、コネクタ９４またはコネクタ９５から受けた電力を複数のＬＥＤモジュール６へと供給するための導通経路を構成している。
【００６２】
一対のバイパス配線９２は、二対の外部配線９３を介してコネクタ９４およびコネクタ９５を導通させる導通経路を構成している。図１５〜図１７に示すように、本実施形態においては、一対のバイパス配線９２は、ＬＥＤ基板５に対してｚ方向図中下方側に位置している。また、一対のバイパス配線９２は、ｚ方向視においてＬＥＤ基板５に重なり、且つ複数のＬＥＤモジュール６を挟んでｙ方向両側に離間して配置されている。また、図示された例においては、一対のバイパス配線９２は、ＬＥＤ基板５と透光カバー７とに囲まれた空間に収容されている。
【００６３】
二対のローカル配線９１は、ＬＥＤ基板５に対してｚ方向図中下方側に位置している。一対ずつのローカル配線９１は、複数のＬＥＤモジュール６に対してｘ方向外側に位置している。二対のローカル配線９１は、ｙ方向において一対のバイパス配線９２の間に位置している。図１７に示すように、二対のローカル配線９１と一対のバイパス配線９２とは、互いのｚ方向位置が略同じである。
【００６４】
次に、手摺Ａ１の作用について説明する。
【００６５】
本実施形態によれば、ＬＥＤ照明ユニットＢ１は、磁力によって芯材２に着脱可能に保持されている。このため、ＬＥＤ照明ユニットＢ１を芯材２に保持させるために、互いの一部同士を係合させる必要がない。これにより、ＬＥＤ照明ユニットＢ１や芯材２に不可避的に有する製造上の誤差が存在しても、ＬＥＤ照明ユニットＢ１を芯材２に適切に保持させることができる。また、ＬＥＤ照明ユニットＢ１を交換する際に、ＬＥＤ照明ユニットＢ１や芯材２が摩耗したり欠けたりすることを回避することが可能である。したがって、ＬＥＤ照明ユニットＢ１を適切に着脱させることができる。
【００６６】
ＬＥＤ照明ユニットＢ１は、磁石８を有しており、芯材２は、磁性体によって形成されている。磁石８と芯材２の天板部２１とが磁力によって引き合うことにより、ＬＥＤ照明ユニットＢ１は芯材２に保持される。天板部２１は、ｘ方向を長手方向とする板状部分であり、ＬＥＤ照明ユニットＢ１は、ｘ方向を長手方向とする細長形状である。したがって、芯材２のｘ方向外方からＬＥＤ照明ユニットＢ１をスライドさせることにより、ＬＥＤ照明ユニットＢ１を芯材２によって適切に保持することができる。ｘ方向に離間配置された複数の磁石８を備えることにより、ＬＥＤ照明ユニットＢ１のｘ方向における複数箇所を芯材２によって保持することが可能であり、ＬＥＤ照明ユニットＢ１をより安定して保持することができる。
【００６７】
磁石８は、ＬＥＤ基板５に対してｚ方向図中上方に設けられている。このため、図８に示すように、磁石８によってＬＥＤ照明ユニットＢ１を芯材２に保持させると、ＬＥＤ照明ユニットＢ１が芯材２によって吊り下げられた姿勢となる。この姿勢において、複数のＬＥＤモジュール６が搭載された主面５１は、ｚ方向図中下方を向いている。そして、芯材２には、開口部２７が設けられており、筒状部１０には、スリット１０１が設けられている。したがって、ＬＥＤ照明ユニットＢ１を芯材２に保持させると、複数のＬＥＤモジュール６（ＬＥＤ照明ユニットＢ１）からの光を開口部２７およびスリット１０１を通じてｚ方向図中下方へと出射することができる。
【００６８】
支持部材４の中板部４１のｚ方向下面にＬＥＤ基板５が取り付けられており、中板部４１のｚ方向上面には、複数のリブ４３が設けられている。これにより、複数のＬＥＤモジュール６を発光させた際の熱が、中板部４１を介して複数のリブ４３へと伝達される。複数のリブ４３は、ｚ方向に起立する形状であり、熱を外部に放散させるのに好ましい。特に、本実施形態においては、支持部材４はアルミからなり、放熱効果を高めるのに適している。また、複数のリブ４３は、磁石８と隙間を隔ててｚ方向下方に位置している。このため、複数のリブ４３から磁石８へと熱が不当に伝わってしまうことを回避することができる。一方、ｘ方向において磁石８が存在しない領域においては、複数のリブ４３のｚ方向上方には、芯材２の天板部２１に至るまでの空間が存在する。この空間は、複数のリブ４３からの放熱を促進させるのに好ましい。
【００６９】
ＬＥＤ照明ユニットＢ１のｘ方向両側に、コネクタ９４およびコネクタ９５が設けられている。このため、ＬＥＤ照明ユニットＢ１のｘ方向におけるいずれの側であっても、ＬＥＤ照明ユニットＢ１への電力供給を行うことができる。一対のバイパス配線９２が設けられていることにより、ＬＥＤ基板５の配線パターンに、一対のバイパス配線９２が担うべき導通経路を設ける必要がない。これにより、ＬＥＤ基板５の小型化、特にｙ方向寸法の縮小を図ることができる。また、一対のバイパス配線９２を、ＬＥＤ基板５の配線パターンとｚ方向視において重なる配置とすることが好ましい。これにより、ＬＥＤ照明ユニットＢ１、ひいては手摺Ａ１の小型化を図ることができる。
【００７０】
手摺Ａ１においてＬＥＤ照明ユニットＢ１を備えることによって実現される照明機能は、周囲を鮮明に照らす用途ではなく、いわゆる間接照明用途である。このため、複数のＬＥＤモジュール６の近傍に一対のバイパス配線９２が存在することによって、複数のＬＥＤモジュール６からの光の一部が一対のバイパス配線９２に遮られたとしても、ＬＥＤ照明ユニットＢ１は、間接照明としての機能を十分に果たすことができる。
【００７１】
ｘ方向において複数のＬＥＤモジュール６を避けた領域において、一対のバイパス配線９２の間に二対のローカル配線９１を配置することにより、ＬＥＤ照明ユニットＢ１の小型化を図ることができる。
【００７２】
図１８〜図２５は、本発明の変形例および他の実施形態に係る手摺を示している。なお、これらの図において、上記実施形態と同一または類似の要素には、上記実施形態と同一の符号を付している。
【００７３】
＜第１実施形態  第１変形例  手摺＞
図１８は、手摺Ａ１の第１変形例を示している。本変形例の手摺Ａ１１は、ＬＥＤ照明ユニットＢ１１を備えている。ＬＥＤ照明ユニットＢ１１は、支持部材４の構成が上述した手摺Ａ１のＬＥＤ照明ユニットＢ１と異なっている。本変形例においては、支持部材４は、樹脂によって形成されている。本変形例から理解されるように、支持部材４の材質は、磁石８の磁力を用いてＬＥＤ照明ユニットＢ１１を芯材２に保持させることが可能であれば、様々な材質を用いることができる。また、図示されたように、支持部材４が樹脂からなる場合、たとえば、支持部材４は、上述した複数のリブ４３を有さない構成であってもよい。
【００７４】
＜第１実施形態  第２変形例  手摺＞
図１９は、手摺Ａ１の第２変形例を示している。本変形例の手摺Ａ１２は、ＬＥＤ照明ユニットＢ１２を備えている。手摺Ａ１２は、ＬＥＤ照明ユニットＢ１２を芯材２に保持させるための磁力を発揮させる具体的構成が、上述した例と異なっている。
【００７５】
手摺Ａ１２においては、芯材２に磁石８が取り付けられている。図示された例においては、磁石８は、接合層８９によって芯材２に取り付けられている。芯材２は、幅広の天板部２１を有しており、上述した一対の天板部２２および一対の段差部２３は設けられていない。
【００７６】
ＬＥＤ照明ユニットＢ１２は、金属部材８５を有している。金属部材８５は、磁性体金属からなり、たとえば鉄製である。金属部材８５は、一対の係合部８７を有している。一対の係合部８７は、支持部材４の一対の係合部４４と係合することにより、金属部材８５によって支持部材４を支持するためのものである。
【００７７】
本変形例によっても、磁力によってＬＥＤ照明ユニットＢ１２を芯材２に着脱可能に保持させることができる。また、磁力を生じさせるための磁石等は、ＬＥＤ照明ユニットＢ１２の一部として設けられてもよいし、芯材２の側に設けられてもよい。本変形例においても、磁石８および金属部材８５の少なくともいずれかは、複数個が備えられ、ｘ方向に離間配置されていてもよい。
【００７８】
＜第１実施形態  第３変形例  手摺＞
図２０は、手摺Ａ１の第３変形例を示している。本変形例の手摺Ａ１３は、ＬＥＤ照明ユニットＢ１３を備えている。ＬＥＤ照明ユニットＢ１３は、透光カバー７の構成が上述した例と異なっている。
【００７９】
本変形例においては、透光カバー７は、底板部７１、一対の側板部７２、一対のリブ７３、一対の側板部７４および一対の段差部７５を有している。一対の側板部７４は、一対の底板部７１のｙ方向両端に繋がっており、ｚ方向に沿って起立している。一対の側板部７４同士のｙ方向距離は、一対の側板部７２のｙ方向距離よりも小さい。一対の段差部７５は、隣り合う側板部７２と側板部７４とを連結している。側板部７２のｚ方向寸法は、側板部７４のｚ方向寸法よりも大きい。
【００８０】
このような構成により、本変形例の底板部７１は、上述した例の底板部７１よりもＬＥＤ基板５および複数のＬＥＤモジュール６からｚ方向図中下方に離間している。図示された例においては、底板部７１は、芯材２からｚ方向下方に突出しており、筒状部１０のスリット１０１に収容されている。本変形例から理解されるように、透光カバー７の構成は、複数のＬＥＤモジュール６からの光を適切に出射させうるものであればよい。
【００８１】
＜第１実施形態  第４変形例  手摺＞
図２１は、手摺Ａ１の第４変形例を示している。本変形例の手摺Ａ１４は、ＬＥＤ照明ユニットＢ１４を備えている。ＬＥＤ照明ユニットＢ１４は、透光カバー７の構成が上述した例と異なっている。
【００８２】
本変形例においては、透光カバー７は、導光部７６を有している。導光部７６は、ＬＥＤ基板５および複数のＬＥＤモジュール６のｚ方向図中下方に位置している。導光部７６のｘ方向と直角である断面形状は、ｚ方向を長手方向とする長矩形状である。導光部７６のｚ方向図中下端は、スリット１０１に位置している。
【００８３】
また、本変形例の透光カバー７は、透明な樹脂によって形成されている。これにより、導光部７６は、ｚ方向図中上面から入射した複数のＬＥＤモジュール６からの光を、ｚ方向図中下方へと導き、ｚ方向図中下面から出射する導光体としての機能を果たす。このような変形例は、ＬＥＤ照明ユニットＢ１４（手摺Ａ１４）から出射される光量を増加するのに適している。
【００８４】
＜第２実施形態  手摺＞
図２２〜図２５は、本発明の第２実施形態に係る手摺を示している。本実施形態の手摺Ａ２は、２つのＬＥＤ照明ユニットＢ１を備えている。
【００８５】
図２２は、手摺Ａ２を示す斜視図である。図２３は、手摺Ａ２を示す要部斜視図である。図２４は、手摺Ａ２を示す要部拡大斜視図である。図２５は、図２２のＸＸＶ−ＸＸＶ線に沿う要部拡大断面図である。なお、図２３および図２４においては、理解の便宜上、カバー１および芯材２を省略している。
【００８６】
図２３に示すように、手摺Ａ２は、２つのＬＥＤ照明ユニットＢ１を備えている。２つのＬＥＤ照明ユニットＢ１は、ｘ方向に配列されている。カバー１は、一つのみの筒状部１０を備えている。そして、２つのＬＥＤ照明ユニットＢ１が１つの筒状部１０に収容されている。すなわち、筒状部１０のｘ方向寸法は、ＬＥＤ照明ユニットＢ１のｘ方向寸法よりも若干長い。
【００８７】
手摺Ａ２は、３つのブラケット３を備えている。３つのブラケット３は、ｘ方向に互いに離間して配置されている。２つのブラケット３は、筒状部１０のｘ方向両端付近に設けられている。他の１つのブラケット３は、筒状部１０のｘ方向中央付近に設けられている。２つのＬＥＤ照明ユニットＢ１は、ブラケット３を挟んで並べられている。
【００８８】
図２４に示すように、本実施形態においては、一方のＬＥＤ照明ユニットＢ１のコネクタ９４と、他方のＬＥＤ照明ユニットＢ１のコネクタ９５とが接続されている。これにより、いずれかのＬＥＤ照明ユニットＢ１のコネクタ９４またはコネクタ９５に給電されると、互いに接続されたコネクタ９４およびコネクタ９５を介して２つのＬＥＤ照明ユニットＢ１の双方に給電がなされる。
【００８９】
図２４および図２５に示すように、一方のＬＥＤ照明ユニットＢ１の一対の外部配線９３は、ｚ方向においてブラケット３の延出部３３２と芯材２の天板部２２との間の空間に収容されている。
【００９０】
本実施形態によっても、ＬＥＤ照明ユニットＢ１を適切に着脱させることができる。また、共通仕様のＬＥＤ照明ユニットＢ１を用いて、ＬＥＤ照明ユニットＢ１のｘ方向長さの整数倍に近い長さの手摺Ａ２を実現することが可能である。
【００９１】
隣り合うＬＥＤ照明ユニットＢ１のコネクタ９４とコネクタ９５とを接続することにより、いずれかのＬＥＤ照明ユニットＢ１に給電すれば、２つのＬＥＤ照明ユニットＢ１の双方に給電することができる。また、延出部３３２と天板部２２との間に一対の外部配線９３を配置することにより、ブラケット３を挟んで隣り合うＬＥＤ照明ユニットＢ１を適切に接続することができる。延出部３３２のｚ方向図中上面は、ねじ穴３３１の開口部分よりもｚ方向図中下方に位置している。また、天板部２２は、天板部２１に対してｚ方向図中上方に位置している。これらにより、延出部３３２と天板部２２との間に、一対の外部配線９３を収容するのに十分な大きさの空間を確保することができる。
【００９２】
本発明に係る手摺は、上述した実施形態に限定されるものではない。本発明に係る手摺の各部の具体的な構成は、種々に設計変更自在である。
【００９３】
＜第１実施形態  巾木＞
図２６および図２７は、本開示の第１実施形態に係る巾木を示している。本実施形態の巾木Ｃ１は、土台部材９１０、ケース９２０、ＬＥＤ基板９３０、複数のＬＥＤモジュール９４０、透光カバー９５０および意匠面９６０を備えている。
【００９４】
図２６は、巾木Ｃ１を示す斜視図である。図２７は、図２６のＸＸＶＩＩ−ＸＶＩＩ線に沿う断面図である。
【００９５】
たとえば、住居の建築においては、壁ＷＬの設置をスムーズに行うことを目的として、床ＦＬと壁ＷＬとの間に隙間を設けることが一般的である。巾木Ｃ１は、この隙間を塞ぐために設けられる。また、巾木Ｃ１は、床ＦＬおよび壁ＷＬの境界部分を縁取る意匠部材としての機能を果たすことが多い。
【００９６】
土台部材９１０は、たとえば木材等からなり、壁ＷＬの下端に沿うｘ方向に長く延びる細長い部材である。図示された例においては、土台部材９１０は、ｘ方向と直角である断面形状が、ｚ方向を長手方向とし、ｙ方向を短手方向とする長矩形状である。
【００９７】
ケース９２０は、ＬＥＤ基板９３０およびＬＥＤモジュール９４０を収容するものであり、たとえば、金属や樹脂からなる。本実施形態においては、ケース９２０は、土台部材９１０に対してｚ方向上方に配置されており、たとえば接着剤や接着テープ等によって土台部材９１０に接合されている。
【００９８】
ケース９２０は、ｘ方向に長く延びる細長い部材であり、本実施形態においては、底板部９２１および側板部９２２を有する。底板部９２１は、ｘ方向を長手方向とし、ｙ方向を短手方向とする細長い板状部分であり、土台部材９１０に接合されている。側板部９２２は、底板部９２１のｙ方向端に繋がっており、ｘ方向を長手方向とし、ｚ方向を短手方向とする細長い板状部分である。このような構成により、本実施形態のケース９２０は、ｘ方向と直角である断面形状が略Ｌ字状である。
【００９９】
ＬＥＤ基板９３０は、ｘ方向を長手方向とし、ｚ方向を短手方向とする板状部材であり、たとえばセラミックスやガラスエポキシ樹脂等の絶縁材料からなる主材と当該主材上に形成された配線パターン（図示略）とを有する。本実施形態においては、ＬＥＤ基板９３０は、ケース９２０の側板部９２２に、接着剤や接着テープ等からなる接合層９３１によって接合されている。
【０１００】
複数のＬＥＤモジュール９４０は、巾木Ｃ１に照明機能を付与するための光源であり、ＬＥＤ基板９３０の片面にｘ方向に並んで実装されている。複数のＬＥＤモジュール９４０の配置は、１列、複数列、千鳥配列等、様々に設定される。図示された例においては、複数のＬＥＤモジュール９４０は、ｘ方向に沿って１列に配置されている。
【０１０１】
ＬＥＤモジュール９４０は、ＬＥＤチップ（図示略）を含む。ＬＥＤモジュール９４０は、ＬＥＤチップ単体からなるものでも、ＬＥＤチップ以外の構成要素を含むものであってもよい。ＬＥＤモジュール９４０の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤモジュール９４０は、白色光を発する構成とすることができる。また、励起光の波長を適宜設定することにより、ＬＥＤモジュール９４０から発せられる白色光の色合いを調整することができる。
【０１０２】
透光カバー９５０は、複数のＬＥＤモジュール６からの光を透過させるものであり、本実施形態においては、複数のＬＥＤモジュール６からの光を拡散させつつ透過させる材質からなり、たとえば半透明の乳白色樹脂からなる。本実施形態においては、透光カバー９５０は、天板部９５１、側板部９５２およびリブ９５３を有する。
【０１０３】
天板部９５１は、複数のＬＥＤモジュール６に対してｚ方向上方に位置しており、ｘ方向を長手方向とし、ｙ方向を短手方向とする板状部分である。天板部９５１は、複数のＬＥＤモジュール６からの光を拡散させつつ透過させる。側板部９５２は、天板部９５１のｙ方向に繋がっており、ｘ方向を長手方向とし、ｚ方向を短手方向とする、板状部分である。側板部９５２のｚ方向下端は、ケース９２０の底板部９２１に到達している。リブ９５３は、天板部９５１の端部付近からｚ方向下方に延びた部分である。リブ９５３は、ケース９２０の側板部９２２と当接することにより、透光カバー９５０をケース９２０に対して位置決めするためのものである。
【０１０４】
意匠面９６０は、巾木Ｃ１のｙ方向前面から観察した場合の外観を構成するものである。本実施形態においては、意匠面９６０は、土台部材９１０とケース９２０とのｙ方向前面に設けられている。意匠面９６０は、たとえば木目調の印刷が施された印刷層が、土台部材９１０およびケース９２０にわたって設けられることにより構成されている。
【０１０５】
次に、巾木Ｃ１の作用について説明する。
【０１０６】
本実施形態によれば、巾木Ｃ１は、複数のＬＥＤモジュール６が不点灯の状態においては、照明機能を有さない一般的な巾木と同様の外観である。一方、複数のＬＥＤモジュール６が点灯すると、一般的な巾木と同様の外観である巾木Ｃ１のｚ方向上方に位置する壁ＷＬの部分が、ほのかに照らされる。これにより、室内の見栄えをいたずらに煩雑にすることなく、巾木Ｃ１によるいわゆる間接照明によって室内をより優雅に彩ることができる。
【０１０７】
巾木Ｃ１のｙ方向前面に現れる意匠面９６０を設けることにより、巾木Ｃ１が照明機能を果たす構成であることを居住者等に意識させないことができる。
【０１０８】
ケース９２０が断面Ｌ字状であることにより、巾木Ｃ１の組立において、ＬＥＤ基板９３０をケース９２０の側板部９２２に接合する作業をスムーズに行えるという利点がある。
【０１０９】
図２８〜図３５は、本開示の他の実施形態に係る巾木を示している。なお、これらの図において、上記実施形態と同一または類似の要素には、上記実施形態と同一の符号を付している。
【０１１０】
＜第２実施形態  巾木＞
図２８は、本開示の第２実施形態に係る巾木を示している。本実施形態の巾木Ｃ２は、上述の土台部材９１０を備えていない。ケース９２０は、土台部９２３および側板部９２２を有しており、たとえば巾木Ｃ１における土台部材９１０とケース９２０とが一体化された構成に相当する。土台部９２３は、ｘ方向と直角である断面形状が、ｚ方向を長手方向とし、ｙ方向を短手方向とする長矩形状である。側板部９２２は、土台部９２３に対してｚ方向上方繋がっている。このようなケース９２０は、たとえば、アルミ等の金属からなる。なお、ケース９２０をアルミによって形成する場合、図示された例のように、土台部９２３を中空構造としてもよい。また、土台部９２３を板状部分とし、ケース９２０を断面Ｌ字状としてもよい。
【０１１１】
本実施形態によっても、室内の見栄えをいたずらに煩雑にすることなく、巾木Ｃ２によるいわゆる間接照明によって室内をより優雅に彩ることができる。また、本実施形態から理解されるように、巾木Ｃ１における土台部材９１０を備えない構成であってもよい。
【０１１２】
＜第３実施形態  巾木＞
図２９は、本開示の第３実施形態に係る巾木を示している。本実施形態の巾木Ｃ３は、土台部材９１０を備えているが、巾木Ｃ２と同様に、土台部材９１０を備えない構成であってもよい。ケース９２０は、底板部９２１、一対の側板部９２２および係合部９２４を有する。一対の側板部９２２は、底板部９２１のｙ方向両端に繋がっており、各々がｘ方向を長手方向とし、ｚ方向を短手方向とする板状部分である。係合部９２４は、ｙ方向前方の側板部９２２のｚ方向上端から、ｙ方向に突出している。ケース９２０は、ｘ方向と直角である断面形状が、長矩形状の三辺に相当する部分を有するコの字状である。
【０１１３】
ＬＥＤ基板９３０は、ｘ方向視においてケース９２０の対角線に沿うような配置とされている。ＬＥＤ基板９３０の図中右下に位置する短手方向一端は、底板部９２１と側板部９２２との結合部分に位置している。ＬＥＤ基板９３０の図中左上に位置する短手方向他端は、係合部９２４に対してｚ方向下方から係合している。これにより、ＬＥＤ基板９３０は、ｚ方向に対して傾いている。複数のＬＥＤモジュール９４０は、ＬＥＤ基板９３０のうち図中右上を向く面に搭載されている。
【０１１４】
本実施形態によっても、室内の見栄えをいたずらに煩雑にすることなく、巾木Ｃ３によるいわゆる間接照明によって室内をより優雅に彩ることができる。また、ＬＥＤ基板９３０をケース９２０に取り付けるには、たとえばケース９２０のｘ方向一端から、ＬＥＤ基板９３０をｘ方向にスライドさせてケース９２０内に挿入すればよい。したがって、巾木Ｃ３の組立をより容易に行うことができる。また、ｚ方向に対して傾いたＬＥＤ基板９３０に複数のＬＥＤモジュール９４０が搭載されていることにより、複数のＬＥＤモジュール９４０からの光をｚ方向上方へとより効果的に向かわせることができる。断面コの字状であることにより、ケース９２０の剛性を高めることができる。
【０１１５】
＜第４実施形態  巾木＞
図３０は、本開示の第４実施形態に係る巾木を示している。本実施形態の巾木Ｃ４は、ケース９２０が、一対の側板部９２２を有する断面コの字状である。また、ケース９２０には、溝部９２５が形成されている。溝部９２５は、底板部９２１のｙ方向前方端付近に設けられており、ｚ方向下方に凹み、ｘ方向に長く延びている。溝部９２５には、ＬＥＤ基板９３０のｚ方向下端が挿入されている。
【０１１６】
本実施形態によっても、室内の見栄えをいたずらに煩雑にすることなく、巾木Ｃ４によるいわゆる間接照明によって室内をより優雅に彩ることができる。また、接着等の手法によらず、ＬＥＤ基板９３０をケース９２０に固定することが可能である。断面コの字状であることにより、ケース９２０の剛性を高めることができる。
【０１１７】
＜第５実施形態  巾木＞
図３１は、本開示の第５実施形態に係る巾木を示している。本実施形態の巾木Ｃ５は、土台部材９１０が、基部９１１および前面部９１２を有する。基部９１１は、土台部材９１０のうちｚ方向下方に位置する部分であり、ｙ方向寸法が土台部材９１０全体のｙ方向寸法と同じである。基部９１１は、ｘ方向と直角である断面形状が、たとえば矩形状である。本実施形態においては、基部９１１は、たとえば接合層９１９によって壁ＷＬに接合されている。
【０１１８】
前面部９１２は、基部９１１からｚ方向上方に延びており、ｙ方向において壁ＷＬとは反対側の前側に位置している。前面部９１２は、ｘ方向を長手方向、ｚ方向を幅方向、ｙ方向を厚さ方向とする帯板状である。前面部９１２と壁ＷＬとの間には、空間が存在する。
【０１１９】
本実施形態のケース９２０は、底板部９２１および一対の側板部９２２を有しており、ｘ方向視においてｚ方向上方に開口する断面コの字状である。透光カバー９５０は、天板部９５１と一対のリブ９５３とを有しており、ケース９２０をｚ方向上側から塞いでいる。ケース９２０は、前面部９１２と壁ＷＬとの間の空間に挿入されている。ケース９２０の挿入は、若干の隙間が生じた状態でもよいし、いわゆる圧入された状態であってもよい。
【０１２０】
本実施形態のＬＥＤ基板９３０は、たとえば接合層９３１によってｙ方向図中左側の側板部９２２に接合されている。
【０１２１】
本実施形態によっても、室内の見栄えをいたずらに煩雑にすることなく、巾木Ｃ５によるいわゆる間接照明によって室内をより優雅に彩ることができる。また、前面部９１２と壁ＷＬとの間にケース９２０を挿入する構成であることにより、ケース９２０と土台部材９１０との接合やケース９２０と壁ＷＬとの接合が必須ではなく、設置作業をよりスムーズに行うことができる。
【０１２２】
＜第６実施形態  巾木＞
図３２は、本開示の第６実施形態に係る巾木を示している。本実施形態の巾木Ｃ６は、土台部材９１０の基部９１１と前面部９１２とが、ｚ方向に離間した構成とされている。前面部９１２のｙ方向背面には、ＬＥＤ基板９３０および透光カバー９５０が取付けられている。ＬＥＤ基板９３０は、前面部９１２に対して取付けられたベース基板９２９に対して、たとえば接合層９３１によって接合されている。透光カバー９５０は、たとえば一対のリブ９５３をベース基板９２９に係合させることにより、前面部９１２に対して固定されていてもよいし、図示しない接着剤によって前面部９１２に接合されていてもよい。
【０１２３】
透光カバー９５０は、天板部９５１、側板部９５２および底板部９５４を有する。天板部９５１と底板部９５４とは、ｚ方向において互いに離間しており、互いに平行な帯板状である。側板部９５２は、天板部９５１と底板部９５４とのｙ方向端縁同士を繋いでいる。
【０１２４】
本実施形態によっても、室内の見栄えをいたずらに煩雑にすることなく、巾木Ｃ６によるいわゆる間接照明によって室内をより優雅に彩ることができる。また、前面部９１２が基部９１１に対してｚ方向上方に離間している。そして、透光カバー９５０の天板部９５１と底板部９５４とから、ｚ方向の両側に光が出射される。これにより、より幅広い光の帯をたとえば壁ＷＬに現出させることが可能であり、室内を優雅に彩るのに好ましい。
【０１２５】
＜第７実施形態  巾木＞
図３３〜図３５は、本開示の第７実施形態に係る巾木を示している。本実施形態の巾木Ｃ７は、互いに略直角に繋がる２つの壁ＷＬに設置されることが意図されている。図３４に示すように巾木Ｃ７の土台部材９１０は、たとえば基部９１１および前面部９１２を有する構成であり、前面部９１２と壁ＷＬとの間に空間が存在する。
【０１２６】
巾木Ｃ７は、ＬＥＤユニット９８０を備えている。ＬＥＤユニット９８０は、ＬＥＤ基板９３０、複数のＬＥＤモジュール９４０および透光樹脂９７０を備えている。本実施形態のＬＥＤ基板９３０は、いわゆるフレキシブル配線基板である。ＬＥＤ基板９３０は、細長い帯状であり、屈曲および切断が可能に構成されている。複数のＬＥＤモジュール９４０は、ＬＥＤ基板９３０の長手方向に配列されている。透光樹脂９７０は、ＬＥＤ基板９３０の片面側に設けられており、複数のＬＥＤモジュール９４０を覆っている。透光樹脂９７０は、ＬＥＤモジュール９４０からの光を透過させる材質からなり、さらに、ＬＥＤモジュール９４０からの光を拡散させつつ透過させるものであってもよい。透光樹脂９７０は、ＬＥＤモジュール９４０からの光を少なくともｚ方向上方に出射させる。
【０１２７】
ＬＥＤユニット９８０は、前面部９１２と壁ＷＬとの間の空間に配置されている。ＬＥＤユニット９８０は、当該空間に単に挿入されたものでもよいし、たとえば前面部９１２に対して接合されてもよい。
【０１２８】
図３５は、巾木Ｃ７の組み立て例を示している。本例においては、壁ＷＬに対して土台部材９１０が予め取付けられている。同図（ａ）は、たとえば一定の長さを有するように製造されたＬＥＤユニット９８０を示している。図示された例においては、ＬＥＤユニット９８０は、ｘ方向に延びる土台部材９１０よりも長い。このため、同図（ｂ）に示すように、ＬＥＤユニット９８０を切断線ＣＬに沿って切断し、ＬＥＤユニット９８０の長さを土台部材９１０に応じた長さに短縮する。ＬＥＤユニット９８０のＬＥＤ基板９３０は、切断された後も、同一のＬＥＤ基板９３０に搭載された複数のＬＥＤモジュール９４０を適切に点灯させ得る配線パターン（図示略）を有する。次いで、同図（ｃ）に示すように、切断後のＬＥＤユニット９８０を、前面部９１２と壁ＷＬとの間の空間に配置する。これにより、巾木Ｃ７が完成する。
【０１２９】
本実施形態によっても、室内の見栄えをいたずらに煩雑にすることなく、巾木Ｃ７によるいわゆる間接照明によって室内をより優雅に彩ることができる。また、切断可能なＬＥＤユニット９８０を備えることにより、室内の壁ＷＬ等の形状に応じてより広い領域に巾木Ｃ７を設けることが可能であり、室内のより広い範囲を優雅に彩ることができる。なお、ＬＥＤユニット９８０を切断することにより、土台部材９１０に取り付ける構成例の他に、たとえばＬＥＤユニット９８０を略直角に屈曲させることにより、ＬＥＤユニット９８０を土台部材９１０に取り付けてもよい。
【０１３０】
本開示に係る巾木は、上述した実施形態に限定されるものではない。本開示に係る巾木の各部の具体的な構成は、種々に設計変更自在である。
【０１３１】
＜第１実施形態  階段＞
図３６〜図３８は、本開示の第１実施形態に係る階段を示している。本実施形態の階段Ｄ１は、複数の踏板９９１、複数の蹴込み板９９２および複数のＬＥＤユニット９８０を備えている。階段Ｄ１は、複数のＬＥＤユニット９８０を備えることにより、照明機能が付与されている。なお、同図に示す例においては、階段Ｄ１に沿うように上述の巾木Ｃ１が設けられている。図示された巾木Ｃ１は、光の出射方向がｚ方向下方とされており、階段Ｄ１側を照らしている。
【０１３２】
図３６は、階段Ｄ１を示す要部斜視図である。図３７は、図３６のＸＸＸＶＩＩ−ＸＸＸＶＩ線に沿う要部断面図である。図３８は、図３７のＸＸＸＶＩＩＩ−ＸＸＸＶＩＩＩ線に沿う要部断面図である。
【０１３３】
複数の踏板９９１および複数の蹴込み板９９２は、一般的な階段を構成する部材である。踏板９９１は、使用者が昇降する際に足を置く部材である。蹴込み板９９２は、隣り合う踏板９９１をｚ方向において互いに離間させるための部材である。
【０１３４】
踏板９９１は、段鼻９９３を有する。段鼻９９３は、踏板９９１のうち蹴込み板９９２からｙ方向に突出する部分である。本実施形態においては、段鼻９９３には、凹部９９４が形成されている。凹部９９４は、段鼻９９３のｚ方向下面からｚ方向上方に凹んでおり、ｘ方向に長く延びている。凹部９９４は、たとえば断面矩形状の溝である。
【０１３５】
複数のＬＥＤユニット９８０は、階段Ｄ１に照明機能を付与するものである。本実施形態においては、複数のＬＥＤユニット９８０は、複数の踏板９９１の段鼻９９３に各別に収容されている。図３７および図３８に示すように、本実施形態のＬＥＤユニット９８０は、ＬＥＤ基板９３０、ＬＥＤモジュール９４０および導光体９７１を有する。
【０１３６】
ＬＥＤ基板９３０は、ＬＥＤモジュール９４０を搭載するためのものである。本実施形態においては、導光体９７１のｘ方向両側に、一対のＬＥＤ基板９３０が設けられている。各ＬＥＤ基板９３０は、ｘ方向に対して直角である姿勢とされている。
【０１３７】
ＬＥＤモジュール９４０は、ＬＥＤ基板９３０のｘ方向内側を向く面に実装されている。一対のＬＥＤ基板９３０が設けられていることに対応して、一対のＬＥＤモジュール９４０が設けられている。
【０１３８】
導光体９７１は、ＬＥＤモジュール９４０からの光をｚ方向下方へと出射するためのものである。図示された例においては、導光体９７１は、ｘ方向に長く延びる棒状部材であり、たとえばアクリル樹脂等の透明な樹脂からなる。
【０１３９】
本実施形態の導光体９７１は、一対の入射部９７２、反射部９７３および出射部９７４を有する。
【０１４０】
一対の入射部９７２は、一対のＬＥＤモジュール９４０からの光が入射する部分である。図示された例においては、一対の入射部９７２は、導光体９７１のｘ方向両端に設けられており、各々がｘ方向に凹んだ部分である。導光体９７１のｘ方向底面は、たとえばｘ方向に対して直角である平滑な平面である。このｘ方向底面に、ＬＥＤモジュール９４０が正対している。
【０１４１】
反射部９７３は、一対の入射部９７２から入射して導光体９７１内を進行してきた光を、ｚ方向下方に向けて反射する部分である。反射部９７３は、たとえば、導光体９７１のｚ方向上面に、粗面を形成することによって構成される。または、反射部９７３は、導光体９７１のｚ方向上面に白色の反射層を設けることによって構成されてもよい。
【０１４２】
出射部９７４は、反射部９７３によって反射された光をｚ方向下方へと出射する部分である。出射部９７４は、たとえばｚ方向に対して直角である平滑な平面である。あるいは、出射部９７４は、所定のレンズ形状部分を有するものであってもよい。
【０１４３】
次に、階段Ｄ１の作用について説明する。
【０１４４】
本実施形態によれば、踏板９９１の段鼻９９３からｚ方向下方に向けて光が出射される。この照明機能により階段Ｄ１の各部がいわゆる間接照明によって照らされる。したがって、室内をより優雅に彩ることができる。
【０１４５】
ＬＥＤユニット９８０が導光体９７１を有することにより、比較的少数のＬＥＤモジュール９４０によって照明機能を実現することができる。
【０１４６】
＜第２実施形態  階段＞
図３９は、本開示の第２実施形態に係る階段を示している。本実施形態の階段Ｄ２は、ＬＥＤユニット９８０の構成が、上述した実施形態と異なっている。
【０１４７】
本実施形態においては、ＬＥＤユニット９８０は、ＬＥＤ基板９３０、複数のＬＥＤモジュール９４０および透光樹脂９７０を有する。
【０１４８】
ＬＥＤ基板９３０は、ｘ方向に長く延びる細長い帯状である。ＬＥＤ基板９３０は、厚さ方向がｚ方向に沿うように段鼻９９３の凹部９９４内に固定されている。
【０１４９】
複数のＬＥＤモジュール９４０は、ＬＥＤ基板９３０のｚ方向下面にｘ方向に沿って配列されている。透光樹脂９７０は、ＬＥＤ基板９３０に対してｚ方向下方に設けられており、複数のＬＥＤモジュール９４０からの光を透過させる。透光樹脂９７０は、ＬＥＤモジュール９４０からの光を拡散させつつ透過させることが好ましい。
【０１５０】
このような実施形態によっても、室内をより優雅に彩ることができる。
【０１５１】
本開示に係る階段は、上述した実施形態に限定されるものではない。本開示に係る巾木の各部の具体的な構成は、種々に設計変更自在である。
【符号の説明】
【０１５２】
Ａ１，Ａ１１，Ａ１２，Ａ１３，Ａ１４，Ａ２：手摺
Ｂ１，Ｂ１１，Ｂ１２，Ｂ１３，Ｂ１４：ＬＥＤ照明ユニット
１      ：カバー
２      ：芯材
３      ：ブラケット
４      ：支持部材
５      ：ＬＥＤ基板
６      ：ＬＥＤモジュール
７      ：透光カバー
８      ：磁石
１０    ：筒状部
１１，１２，１３：リブ
１４，１５：突起
１６    ：連結部
１７，１８：中空部
１９    ：端材部
２１    ：天板部
２２    ：天板部
２３    ：段差部
２４，２５：側板部
２６    ：段差部
２７    ：開口部
２８    ：ねじ孔
３１    ：取付部
３２    ：湾曲部
３３    ：支持部
３９    ：ねじ
４１    ：中板部
４２    ：側板部
４３    ：リブ
４４    ：係合部
４５    ：溝部
４６    ：溝部
４９    ：エンドキャップ
５１    ：主面
５２    ：裏面
７１    ：底板部
７２    ：側板部
７３    ：リブ
７４    ：側板部
７５    ：段差部
７６    ：導光部
８１    ：本体部
８２    ：係合部
８５    ：金属部材
８７    ：係合部
８９    ：接合層
９１    ：ローカル配線
９２    ：バイパス配線
９３    ：外部配線
９４    ：コネクタ
９５    ：コネクタ
１０１  ：スリット
３１１  ：取付孔
３３１  ：ねじ穴
３３２  ：延出部
Ｃ１，Ｃ２，Ｃ３，Ｃ４，Ｃ５，Ｃ６，Ｃ７：巾木
９１０  ：土台部材
９１１  ：基部
９１２  ：前面部
９２０  ：ケース
９２１  ：底板部
９２２  ：側板部
９２３  ：土台部
９２４  ：係合部
９２５  ：溝部
９２９  ：ベース基板
９３０  ：ＬＥＤ基板
９３１  ：接合層
９４０  ：ＬＥＤモジュール
９５０  ：透光カバー
９５１  ：天板部
９５２  ：側板部
９５３  ：リブ
９５４  ：底板部
９６０  ：意匠面
９７０  ：透光樹脂
９７１  ：導光体
９７２  ：入射部
９７３  ：反射部
９７４  ：出射部
９８０  ：ＬＥＤユニット
９９１  ：踏板
９９２  ：蹴込み板
９９３  ：段鼻
９９４  ：凹部
ＦＬ    ：床
ＷＬ    ：壁
ＣＬ    ：切断線
【図１】
2019090160.tif 000003
【図２】
2019090160.tif 000004
【図３】
2019090160.tif 000005
【図４】
2019090160.tif 000006
【図５】
2019090160.tif 000007
【図６】
2019090160.tif 000008
【図７】
2019090160.tif 000009
【図８】
2019090160.tif 000010
【図９】
2019090160.tif 000011
【図１０】
2019090160.tif 000012
【図１１】
2019090160.tif 000013
【図１２】
2019090160.tif 000014
【図１３】
2019090160.tif 000015
【図１４】
2019090160.tif 000016
【図１５】
2019090160.tif 000017
【図１６】
2019090160.tif 000018
【図１７】
2019090160.tif 000019
【図１８】
2019090160.tif 000020
【図１９】
2019090160.tif 000021
【図２０】
2019090160.tif 000022
【図２１】
2019090160.tif 000023
【図２２】
2019090160.tif 000024
【図２３】
2019090160.tif 000025
【図２４】
2019090160.tif 000026
【図２５】
2019090160.tif 000027
【図２６】
2019090160.tif 000028
【図２７】
2019090160.tif 000029
【図２８】
2019090160.tif 000030
【図２９】
2019090160.tif 000031
【図３０】
2019090160.tif 000032
【図３１】
2019090160.tif 000033
【図３２】
2019090160.tif 000034
【図３３】
2019090160.tif 000035
【図３４】
2019090160.tif 000036
【図３５】
2019090160.tif 000037
【図３６】
2019090160.tif 000038
【図３７】
2019090160.tif 000039
【図３８】
2019090160.tif 000040
【図３９】
2019090160.tif 000041